(57)【要約】【課題】吸収体を折り曲げ易くするために吸収体に形成された圧搾部における復元力を吸収させ、圧搾部の座屈を抑制する。【解決手段】本発明の吸収性物品１０は、吸収体１３に設けられ、圧搾部２１と複数の非圧搾部２２とで構成された帯状の易折り曲げ加工部２０であって、吸収体１３において所定方向に延在している、易折り曲げ加工部２０を備え、複数の非圧搾部２２は、易折り曲げ加工部２０の幅方向の全域に亘らないようにそれぞれ形成されており、帯状の易折り曲げ加工部２０上において所定方向に延在するように仮想直線を任意に引いたときに、複数の非圧搾部２２の少なくとも１つと仮想直線とが重なるように、複数の非圧搾部２２がそれぞれ配置されている。【選択図】図５
2018202046.tif 000002
【特許請求の範囲】
【請求項１】
液透過性を有するトップシートと、液不透過性を有するバックシートと、前記トップシートと前記バックシートとの間に配される吸収体と、を含む吸収性物品であって、
前記吸収体に設けられ、圧搾部と複数の非圧搾部とで構成された帯状の易折り曲げ加工部であって、前記吸収体において所定方向に延在している、易折り曲げ加工部を備え、
前記複数の非圧搾部は、前記易折り曲げ加工部の幅方向の全域に亘らないようにそれぞれ形成されており、
前記帯状の前記易折り曲げ加工部上において前記所定方向に延在するように仮想直線を任意に引いたときに、前記複数の非圧搾部の少なくとも１つと前記仮想直線とが重なるように、前記複数の非圧搾部がそれぞれ配置されていることを特徴とする吸収性物品。
【請求項２】
前記所定方向は、前記吸収体の長手方向であることを特徴とする請求項１に記載の吸収性物品。
【発明の詳細な説明】
【技術分野】
【０００１】
本発明は、液透過性のトップシートと、液不透過性のバックシートと、これらの間に配される吸収体とを有する吸収性物品に関する。
【背景技術】
【０００２】
従来、排出された体液（以下、単に「体液」とも言う）を吸収体に誘導して吸収させる使い捨ておむつ（以下、単に「おむつ」とも言う）等の吸収性物品が広く知られている。吸収体は、パルプや高吸水性樹脂（Ｓｕｐｅｒ  Ａｂｓｏｒｂｅｎｔ  Ｐｏｌｙｍｅｒ、以下「ＳＡＰ」とも言う）等の吸収性材料を堆積させ、コアラップで被包したものである。この吸収体は、トップシートやバックシートと比較して厚いものとなっており、着用者の肌にうまくフィットするように折れ曲がりにくい場合がある。
【０００３】
ところで、排出された体液は、吸収体に効率よく吸収させることが求められる。そこで、例えば、特許文献１には、吸収体を圧搾することによって細長い帯状の圧搾部を形成し、その圧搾部において体液を拡散させることにより、効率の良い体液吸収を図った吸収性物品が開示されている。また、このような吸収性物品では、吸収体に形成された圧搾部の幅方向において折れ曲がりやすくなっている。
【先行技術文献】
【特許文献】
【０００４】
【特許文献１】特開２００２−１６５８３４号公報
【発明の概要】
【発明が解決しようとする課題】
【０００５】
ここで、吸収体の圧搾時には、吸収体を構成する要素（主にパルプ）が押圧されて伸ばされるので、吸収体のうち圧搾部が形成された部分とその周辺は、圧搾部の延在方向に向かって伸張することになる。したがって、圧搾後には、この伸張する力に反発するように復元力が生じることになり、その復元力が、圧搾部を収縮させる結果、圧搾部を座屈させ、圧搾部やその周辺に皺を発生させる可能性がある。しかしながら、特許文献１に記載の吸収性物品では、圧搾部に復元力が発生することについては考慮されていないため、吸収体の圧搾部やその周辺に接合されたトップシートに皺が発生し、トップシートの風合いが悪くなったり、吸収性物品の着用感が良くなかったりするおそれがあった。
【０００６】
本発明の目的は、吸収体を折り曲げ易くするために吸収体に形成された圧搾部における復元力を吸収させ、圧搾部の座屈を抑制するための吸収性物品を提供することにある。
【課題を解決するための手段】
【０００７】
本発明による吸収性物品は、液透過性を有するトップシートと、液不透過性を有するバックシートと、前記トップシートと前記バックシートとの間に配される吸収体と、を含む吸収性物品であって、前記吸収体に設けられ、圧搾部と複数の非圧搾部とで構成された帯状の易折り曲げ加工部であって、前記吸収体において所定方向に延在している、易折り曲げ加工部を備え、前記複数の非圧搾部は、前記易折り曲げ加工部の幅方向の全域に亘らないようにそれぞれ形成されており、前記帯状の前記易折り曲げ加工部上において前記所定方向に延在するように仮想直線を任意に引いたときに、前記複数の非圧搾部の少なくとも１つと前記仮想直線とが重なるように、前記複数の非圧搾部がそれぞれ配置されていることを特徴とする。
【発明の効果】
【０００８】
本発明によれば、易折り曲げ加工部の延在する方向において非圧搾部が設けられているため、易折り曲げ加工部における復元力が吸収されるので、圧搾部の座屈を抑制することが可能となる。また、圧搾部が連続して形成されているため、帯状の易折り曲げ加工部の幅方向において、吸収体を折り曲げやすくすることが可能となる。
【図面の簡単な説明】
【０００９】
【図１】本発明の第１実施形態に係るおむつの一例の外観において、正面側から見た斜視図である。
【図２】図１に示したおむつの分解斜視図である。
【図３】第１実施形態に係る、伸張状態のおむつをトップシート側から見た平面図である。
【図４】図３におけるＩＶ−ＩＶ方向断面図である。
【図５】本発明の第１実施形態に係る、吸収体をトップシート側から見た平面図である。
【図６】図５におけるＶＩ−ＶＩ方向断面図である。
【図７】本発明の第２実施形態に係る、吸収体をトップシート側から見た平面図である。
【図８】図７におけるＶＩＩＩ−ＶＩＩＩ方向断面図である。
【図９】本発明の第３実施形態に係る、吸収体をトップシート側から見た平面図である。
【図１０】本発明の他の実施形態に係る、易折り曲げ加工部の形成パターンの例を表した図であり、（ａ）は吸収体をトップシート側から見た平面図であり、（ｂ）は（ａ）におけるＸｂ−Ｘｂ方向断面図であり、着用した状態で折れ曲がった吸収体の例を示す。
【図１１】本発明の他の実施形態に係る、易折り曲げ加工部の形成パターンの例を表した図であり、（ａ）はＶ字パターン、（ｂ）はＸ字パターン、をそれぞれ表す。
【発明を実施するための形態】
【００１０】
本発明による吸収性物品の実施形態について、図１から図１１を参照しながら詳細に説明する。ただし、本発明は本実施形態の態様に限定されるものではない。なお、本明細書の記載および図３から図１１において、Ａ方向は吸収体の長手方向を表し、Ｂ方向は当該Ａ方向に直交する方向であって吸収体の幅方向を表す。
【００１１】
先ず、本発明を展開型の使い捨ておむつに応用した第１実施形態について以下に説明する。
【００１２】
＜第１実施形態＞  
＜構成＞  
図１に本発明の第１実施形態に係るおむつの一例の外観において、正面側から見た斜視図を示す。本実施形態に係るおむつ１０は、展開型の使い捨ておむつであり、前身頃領域１０Ｆと、後身頃領域１０Ｒと、これら前身頃領域１０Ｆおよび後身頃領域１０Ｒをつなぐ股下領域１０Ｃとを有する。また、着用時に前身頃領域１０Ｆと後身頃領域１０Ｒとで着用者のウエストの部分を取り囲むウエスト周り開口部１０Ｗが形成されている。同様に、前身頃領域１０Ｆおよび後身頃領域１０Ｒの下端部と股下領域１０Ｃとで着用者の両脚の太股部分を取り囲む左右一対の脚周り開口部１０Ｌが形成されている。
【００１３】
着用時に前身頃領域１０Ｆは、着用者の腹側に位置し、後身頃領域１０Ｒは着用者の背側に位置する。そして、着用時に股下領域１０Ｃは、着用者の股下を覆い、左右一対の脚周り開口部１０Ｌに、着用者の脚がそれぞれ通された形となる。したがって、脚周り開口部１０Ｌは、着用者の両脚の付け根から太股あたりのいずれかに位置することとなる。
【００１４】
おむつ１０の外側に位置するカバーシート１１の後身頃領域１０Ｒの左右両端縁部には、着用時に前身頃領域１０Ｆの左右両端縁部に重ね合わせてこれらをつなぎ、脚周り開口部１０Ｌを形成し得る左右一対のファスニングテープ１０Ａが接着されている。このファスニングテープ１０Ａは、前身頃領域１０Ｆのカバーシート１１上に接着されたフロントパッチシート１０Ｂに対して繰り返し剥離可能に接合される。
【００１５】
図２は、図１に示すおむつ１０の模式的な分解斜視図であり、図３は、第１実施形態に係る、伸張状態のおむつ１０をトップシート１４側から見た平面図である。また、図４は、図３におけるＩＶ−ＩＶ方向断面図である。図２のおむつ１０および図３の吸収体１３については、説明の便宜上、部分的に破断した状態をそれぞれ示している。
【００１６】
図２に示すように、本実施形態におけるおむつ１０は、外側から順に、良好な手触りを得るために薄い不織布にて形成されるカバーシート１１と、液不透過性を有するバックシート（裏面シート）１２と、吸収体１３と、液透過性を有するトップシート（表面シート）１４と、一対のサイドシート１５と、を重ねた積層構造を有しているものである。
【００１７】
本発明では、吸収体１３を折り曲げ易くするために加工を施した細長い帯状の易折り曲げ加工部２０が、吸収体１３に設けられている。易折り曲げ加工部２０は、圧搾部２１と複数の非圧搾部２２とで構成され、吸収体１３において所定方向（本実施形態では吸収体１３の長手方向、すなわちＡ方向）に延在している。
【００１８】
本実施形態では、圧搾部２１は、図３および図４に示すように、吸収体１３とトップシート１４の積層体（以下、「吸収部分」とも言う）を圧搾することで設けられる。トップシート１４と吸収体１３とが接する面には接着剤が塗布され、当該圧搾は、例えば、エンボスロールによって行われる。これにより、圧搾部２１の底面（底壁）から壁面（側壁）にわたる圧搾部２１全体において、トップシート１４と吸収体１３が咬み合い、一体的に接合される。圧搾部２１の底部分におけるトップシート１４と吸収体１３とからなる厚み（吸収部分の厚み）は、圧搾しない場合の厚みの約１／２〜１／９程度が好ましい。更に好ましくは約１／４〜１／９程度である。この構成により、トップシート１４と吸収体１３とを一体的に形成するので、トップシート１４と吸収体１３がしっかりと接合しトップシート１４が剥がれにくく、トップシート１４が溝に沿った状態になり、溝が維持される。また、圧搾部２１で吸収性コア１７が固定されることになるため、おむつ１０の着用時に吸収性コア１７自体の型崩れを起きにくくし、着用時にも折れ曲がりやすく体にフィット感を向上させことが可能となる。
【００１９】
本実施形態では、非圧搾部２２は、圧搾されていない部分であり、図３、後述する図５、図７および図９において、複数の斜線のハッチングで表される。複数の非圧搾部２２は、易折り曲げ加工部２０における復元力を吸収させる機能を有するものであり、詳細については後述する。
【００２０】
カバーシート１１の股下領域１０Ｃの左右両側には、それぞれ脚周り開口部１０Ｌとなる一対の切欠き部１１Ｎが形成されている。カバーシート１１と一対のサイドシート１５との間には、脚周りギャザーを形成するための一対の糸ゴム１６がそれぞれ伸張状態で接着されている。
【００２１】
トップシート１４は、液透過性を有する不織布などで構成される。バックシート１２は、カバーシート１１に接合され、吸収体１３は、このバックシート１２とトップシート１４との間に配され、この吸収体１３を介してトップシート１４がバックシート１２に接合される。また、バックシート１２のうち、後身頃領域１０Ｒの上端部に対応する領域には、バックシート１２の幅方向に沿って延び、着用者に対してウエスト周りに適度な着用感を与えるための弾性シート１０Ｄが接合されている。
【００２２】
トップシート１４の下に位置する本実施形態の吸収体１３は、主にパルプとＳＡＰとからなる吸収性コア１７を、ティシュや不織布等の被覆部材（コアラップ）１８によって被覆したものである。吸収性コア１７を被覆部材１８により包むことで形成される継ぎ目は、例えば、図２に示すように、吸収体１３の上面であって長手方向に延びるように形成される。本実施形態の吸収体１３は、前身頃、股下、後身頃に亘るように、細長い形状をしている。ここで、前身頃部分から後身頃部分を前後（上下）方向とし、それに直交する方向を左右方向とすると、本実施形態の吸収体１３は、前後（上下）左右の長さが異なる矩形のものである（図２および図３では、前後（上下）の長さが左右の長さより長くなっている）。なお、本実施形態の吸収体１３の形状はこれに限らず、例えば、前後（上下）左右の長さが同程度の略正方形のもの、前後（上下）端の角が丸く落とされているもの、前後（上下）に延びる楕円形のもの、円形のもの等、さまざまな形状を含む。また、吸収体１３の股下部分には、一対の脚周り開口部１０Ｌに対応するように、円弧状をなす一対の切欠き部が形成されても良い。なお、本実施形態に係るおむつ１０では、被覆部材１８で包まれた吸収体１３を用いているが、本発明に係る吸収性物品は、被覆部材１８で包まれていない吸収性コア１７を用いてもよい。
【００２３】
本実施形態では、図３および図４に示すように、吸収体１３の表面には、圧搾部２１が連続的に形成され、コの字状と逆コの字状とを繋ぎ合わせたようなもの（略矩形波形状）となるように配置されている。図３および図４に示すように、圧搾部２１が連続的に形成されることで、細長い帯状の易折り曲げ加工部２０が、折り曲げ線のような機能を有することになり、易折り曲げ加工部２０の幅方向において折れ曲がりやすくなって、おむつのフィット感を向上させることが可能となる。加えて、同様の位置に折り目が入りやすくなるため、おむつ１０を再び着用した際の装着性を良くすることができる。また、圧搾部２１が連続的に形成されることで、空気が腹側または背側に通り抜けることができるようになり、通気性を確保することが可能となる。さらに、排出された体液を、迅速に拡散させて、吸収体１３を全体的に使用して効率よく吸収体１３に吸収させることが可能となる。
【００２４】
本実施形態におけるトップシート１４の幅方向の左右両側縁部には、立体ギャザーを形成する疎水性の一対のサイドシート１５が備えられている。一対のサイドシート１５は、着用時に吸収体１３の左右両側縁部に沿って起立し、排出された体液の横漏れを防止するための部材である。一対のサイドシート１５の外側端縁部には、カバーシート１１の一対の切欠き部１１Ｎと同様の形状に切欠き部１５Ｎが形成されている。一対のサイドシート１５のそれぞれには、その内側端縁部を吸収体１３側に折り返して把持させる形で立体ギャザー伸縮材としての糸ゴム１９が伸張状態で配置される。一対のサイドシート１５は、糸ゴム１９が収縮した際に、着用者の肌当接方向に向かって立ち上がる。立体ギャザーは従来の使い捨ておむつに用いられている公知の構成を採用することができる。例えば、撥水性シートの層間に伸張状態の立体ギャザー伸縮材を挟み込んで固定することにより、形成することができる。
【００２５】
＜易折り曲げ加工部＞  
図５は本発明の第１実施形態に係る、吸収体１３をトップシート１４側から見た平面図であり、図６は図５におけるＶＩ−ＶＩ方向断面図である。尚、図５および図６では、説明の便宜上、カバーシート１１、サイドシート１５および被覆部材１８の継ぎ目の記載を省略している。
【００２６】
帯状の易折り曲げ加工部２０は、上述したように、圧搾部２１と複数の非圧搾部２２とで構成されている。複数の非圧搾部２２は、図５に示すように、正方形の形状を呈するものであり、易折り曲げ加工部２０の幅方向（本実施形態では吸収体１３の幅方向、すなわちＢ方向）の全域に亘らないようにそれぞれ形成されている。ここで、易折り曲げ加工部２０は、圧搾部２１の最も外側に位置する端部に接するように圧搾部２１および複数の非圧搾部２２を包含する領域を指すものとして参照される。この構成により、非圧搾部２２が易折り曲げ加工部２０の幅方向の全域に亘るように形成されている構成と比較して、吸収体１３を易折り曲げ加工部２０の幅方向において折れ曲がりやすくすることが可能となる。
【００２７】
また、帯状の易折り曲げ加工部２０上において、易折り曲げ加工部２０の延在している所定方向に延在するように仮想直線を任意に引いたときに、複数の非圧搾部２２の少なくとも１つと当該仮想直線とが重なるように、複数の非圧搾部２２が配置されている。本実施形態では、上記所定方向とは、吸収体１３の長手方向、すなわちＡ方向であり、上記仮想直線は、図５においてＸで表されるものである。仮想直線Ｘは、吸収体１３の前後方向に延在する吸収体１３の中心軸に平行な線である。易折り曲げ加工部２０を吸収体１３の長手方向に形成することによって、吸収体１３の長手方向における圧搾部分の復元力を吸収させることが可能となる。
【００２８】
従来、排出された体液は、吸収体１３に効率よく吸収させることが求められ、例えば、特許文献１には、吸収体を圧搾することによって細長い帯状の圧搾部を形成し、その圧搾部において体液を拡散させることにより、効率の良い体液吸収を図った吸収性物品が開示されている。また、このような吸収性物品では、吸収体に形成された圧搾部の幅方向において折れ曲がりやすくなっている。
【００２９】
しかしながら、特許文献１に記載の吸収性物品では、吸収体の圧搾に起因する復元力が、圧搾部を座屈させ、吸収体の圧搾部やその周辺に接合されたトップシートに皺を発生させる可能性については考慮されていないため、トップシートの風合いが悪くなったり、吸収性物品の着用感が良くなかったりするおそれがあった。この現象は、吸収体にトップシートを貼付して吸収体とトップシートの積層体を圧搾するときに生じるトップシートの復元力、または、吸収体を圧搾した後に吸収体にトップシートを貼付するときに生じるトップシートの復元力によって、より顕著になる。
【００３０】
本実施形態によれば、易折り曲げ加工部２０の延在する方向において非圧搾部２２を設けることによって、複数の非圧搾部２２において易折り曲げ加工部２０に掛かる復元力が吸収され分散されるので、圧搾部２１の座屈を抑え、ひいては圧搾部２１やその周辺に接合されたトップシート１４に皺を生じにくくすることが可能となる。よって、トップシート１４の風合いを良くして、おむつ１０の着用感を向上させることが可能となる。また、圧搾部２１が連続して形成されているため、帯状の易折り曲げ加工部２０の幅方向において、吸収体１３を折り曲げやすくすることが可能となり、おむつ１０のフィット感を向上させることが可能となる。
【００３１】
また、本実施形態の構成によって、圧搾部２１に皺が入ることが抑制されるため、圧搾部２１を起点に被覆部材１８（またはトップシート１４）が剥がれにくくなり、おむつ１０の再装着の際でも吸収性コア１７が型崩れしにくくなる。
【００３２】
さらに、吸収性コア１７が型崩れしないため、おむつ１０の装着時にＳＡＰが吸収性コア１７内を移動しにくくなる結果、吸収性コア１７におけるＳＡＰの位置が安定し、ＳＡＰの吸収性能が安定することになる。
【００３３】
易折り曲げ加工部２０の幅方向の長さについては、液拡散性および通気性の観点から、約１ｍｍより大きく約２０ｍｍより小さいものが好ましい。さらに、折り曲げやすさの観点から、約３ｍｍより大きく約５ｍｍより小さいものがより好ましい。約５ｍｍ以上になると、易折り曲げ加工部２０の圧搾部分が広すぎて易折り曲げ加工部２０の幅方向において折れ曲がりにくくなる。約３ｍｍ以下になると、吸収体１３を折り曲げた時に圧搾部２１の対向する側壁部分が互いに当たって折れにくくなる。
【００３４】
易折り曲げ加工部２０の長手方向の長さについては、折り曲げやすさの観点から、約１７０ｍｍより大きく吸収体１３の長手方向全域に設けられることが好ましい。約１７０ｍｍ以下になると、圧搾部２１以外の部分が、吸収体１３の折れ曲がりを妨げるおそれがある。
【００３５】
易折り曲げ加工部２０は、折れ曲げやすさと拡散性（体液の漏れ）の両立の観点から、吸収体１３の中央領域を含む領域に配置され、長手方向の長さは、約１７０ｍｍより大きく約２４０ｍｍより小さいものが好ましい。この構成により、吸収体１３の長手方向に延在する易折り曲げ加工部２０の幅方向において曲がりやすくなり、吸収体１３の幅方向端部が肌面側に曲がりやすくなる結果、体液の横漏れを抑止しつつ、後ろ漏れを抑止することが可能となる。ここで、吸収体１３の中央領域とは、例えば排尿などの液体と最初に接触する領域およびその付近の領域のことをいう。なお、吸収体１３の中央領域は、吸収性物品の着用者の体格や性別等によって変化させることが可能である。
【００３６】
＜第２実施形態＞  
本発明の第２実施形態では、易折り曲げ加工部２０を構成する圧搾部２１と複数の非圧搾部２２の配置構成を第１実施形態と異ならせる一方、第１実施形態と同様に、圧搾することで生じる易折り曲げ加工部２０における復元力を吸収させ、圧搾部２１の座屈を抑制する。
【００３７】
図７は本発明の第２実施形態に係る、吸収体１３をトップシート１４側から見た平面図であり、図８は図７におけるＶＩＩＩ−ＶＩＩＩ方向断面図である。本実施形態に係る吸収性物品を構成する各要素のうち、同様の機能を有するものについては、第１実施形態と同一の符号を付してその説明を省略する。
【００３８】
本実施形態では、図７に示すように、吸収体１３の表面には、圧搾部２１が連続的に形成され、圧搾部２１は、Ａ方向に交差する第１方向に延在し、且つ、Ａ方向に交差し第１方向と異なる第２方向に延在するように、ジグザグ状に配置されている。非圧搾部２２は、その圧搾部２１の形状に対応するように三角形の形状を呈している。
【００３９】
本実施形態によれば、第１実施形態と同様に、易折り曲げ加工部２０における復元力が吸収されるので、圧搾部２１の座屈を抑制し、ひいては圧搾部２１やその周辺に接合されたトップシート１４に皺を生じにくくすることが可能となる。また、第１実施形態と同様に、圧搾部２１が連続して形成されているため、帯状の易折り曲げ加工部２０の幅方向において、吸収体１３を折り曲げやすくすることが可能となる。
【００４０】
また、この構成によって、第１実施形態と同様に、吸収性コア１７が型崩れしにくくなり、ＳＡＰの吸収性能が安定することになる。
【００４１】
＜第３実施形態＞  
図９は、本発明の第３実施形態に係る、吸収体をトップシート側から見た平面図である。本実施形態に係る吸収性物品を構成する各要素のうち、同様の機能を有するものについては、第１実施形態と同一の符号を付してその説明を省略する。
【００４２】
本発明の第３実施形態では、図９に示すように、吸収体１３の表面には、Ｘ状のものを縦に繋げた圧搾部２１が吸収体１３の長手方向に連続的に形成されている。本実施形態であっても、第１実施形態と同様に、複数の非圧搾部２２の少なくとも１つと仮想直線Ｘとが重なるように、複数の非圧搾部２２が配置されている。複数の非圧搾部２２は、圧搾部２１の形状に対応するように、直角二等辺三角形と正方形とで構成されている。
【００４３】
本実施形態によれば、第１実施形態と同様に、易折り曲げ加工部２０における復元力が吸収されるので、圧搾部２１の座屈を抑制し、ひいては圧搾部２１やその周辺に接合されたトップシート１４に皺を生じにくくすることが可能となる。また、第１実施形態と同様に、圧搾部２１が連続して形成されているため、帯状の易折り曲げ加工部２０の幅方向において、吸収体１３を折り曲げやすくすることが可能となる。
【００４４】
また、この構成によって、第１実施形態と同様に、吸収性コア１７が型崩れしにくくなり、ＳＡＰの吸収性能が安定することになる。
【００４５】
＜その他＞  
本発明は、上述した各実施形態や、随所に述べた変形例に限られることなく、本発明の技術的思想から逸脱しない範囲で、適宜の変更や変形が可能である。
【００４６】
例えば、上記各実施形態またはその変形例に係るおむつの構造は、上述したような展開型に限定されるわけではなく、特許請求の範囲に規定された吸収性物品の構成を含むおむつでありさえすれば、どのような構成であってもよい。例えば、パンツ型の使い捨ておむつや、尿パッドなどであっても本発明を適用可能である。
【００４７】
加えて、上記各実施形態またはその変形例は、乳幼児向けのおむつに限らず、成人向けのおむつ、尿パッドなど、各種吸収性物品に適用可能である。
【００４８】
さらに、上記各実施形態またはその変形例では、圧搾部２１は、吸収体１３とトップシート１４の積層体を圧搾することで設けられるが、本発明では、吸収体１３を圧搾した後からトップシート１４を当該吸収体１３に張り付けてもいい。
【００４９】
上記各実施形態またはその変形例では、吸収体１３のトップシート１４側に易折り曲げ加工部２０が形成されているがこれに限られず、吸収体１３のバックシート１２側や、吸収体１３のトップシート１４側およびバックシート１２側に易折り曲げ加工部２０を形成してもよい。
【００５０】
また、上記各実施形態またはその変形例では、易折り曲げ加工部２０は、吸収体１３の長手方向に１条延在しているが、本発明の効果が発現する範囲において、様々な方向に延在する態様、例えば、吸収体１３の長手方向に交差する方向（例えば、吸収体１３の幅方向）に延在する態様や、複数条設けられる態様も許容するものである。
【００５１】
図１０は、本発明の他の実施形態に係る、易折り曲げ加工部２０の形成パターンの例を表した図であり、図１０（ａ）は吸収体をトップシート側から見た平面図であり、図１０（ｂ）は（ａ）におけるＸｂ−Ｘｂ方向断面図であり、着用した状態で折れ曲がった吸収体の例を示す。
【００５２】
本実施形態では、易折り曲げ加工部２０は、吸収体１３のトップシート１４側に吸収体１３の長手方向に２条平行に配置されている。この構成により、上記各実施形態と同様の効果を得られるほか、図１０（ｂ）に示すように、断面視でＷのように折れ曲がりやすくなることが可能となり、着用者の体にフィットし、且つ、連続している圧搾部２１において体液を拡散させることが可能となる。この効果をより確実に奏するために、易折り曲げ加工部２０を、吸収体１３のバックシート１２側に、吸収体１３の幅の中心を通るように、吸収体１３の長手方向に形成してもよい。
【００５３】
図１１は、本発明の他の実施形態に係る、易折り曲げ加工部２０の形成パターンの例を表した図であり、（ａ）はＶ字パターン、（ｂ）はＸ字パターン、をそれぞれ表す。本実施形態では、易折り曲げ加工部２０は、吸収体１３の中央領域を含むようにＶ字状やＸ字状に配置されている。なお、本実施形態に係る易折り曲げ加工部２０を構成する圧搾部２１や非圧搾部２２は、上記各実施形態またはその変形例のうちいずれのものでもよい。
【００５４】
本実施形態によれば、第１実施形態と同様の効果を得ることが可能である。また、易折り曲げ加工部２０が、吸収体１３の中央領域においてＶ字状やＸ字状で折り曲がれやすくなるので、着用者の股下の肌と隙間ができるようにおむつ１０が折り畳まれやすくなり、股擦れを抑制することが可能となる。さらに、着用者に再装着させる場合、Ｖ字状やＸ字状において折り曲がれやすくなっているため、装着させる人がおむつ１０の形を整える必要が減り、作業性を向上させることが可能となる。
【００５５】
さらに、非圧搾部２２の形状は、上述した各実施形態またはその変形例のような正方形、三角形に限られず、多角形、曲線を含んだものであってもよい。
【００５６】
また、上記各実施形態や、その変形例は、それぞれ組み合わせることも可能である。
【符号の説明】
【００５７】
１０  おむつ
１０Ａ  ファスニングテープ
１０Ｂ  フロントパッチシート
１０Ｆ  前身頃領域
１０Ｒ  後身頃領域
１０Ｃ  股下領域
１０Ｗ  ウエスト周り開口部
１０Ｌ  脚周り開口部
１１  カバーシート
１１Ｎ、１５Ｎ  切欠き部
１２  バックシート
１３  吸収体
１４  トップシート
１５  サイドシート
１６、１９、２３  糸ゴム（弾性部材）
１７  吸収性コア
１８  被覆部材（コアラップ）
２０  易折り曲げ加工部
２１  圧搾部
２２  非圧搾部
【図１】
2018202046.tif 000003
【図２】
2018202046.tif 000004
【図３】
2018202046.tif 000005
【図４】
2018202046.tif 000006
【図５】
2018202046.tif 000007
【図６】
2018202046.tif 000008
【図７】
2018202046.tif 000009
【図８】
2018202046.tif 000010
【図９】
2018202046.tif 000011
【図１０】
2018202046.tif 000012
【図１１】
2018202046.tif 000013